(57)【要約】【課題】  伝送速度の異なる複数の光パスを収容する光リングネットワークにおいて、切替単位を光パスとし、伝送速度の異なる光パス間の共有切替を実現する。【解決手段】  複数の光伝送装置を時計回りリング（ＣＷ）および反時計回りリング（ＣＣＷ）を介して接続する光リングネットワークにおいて、同一の光伝送装置間のＣＷ，ＣＣＷの双方向のリングで、一方のリングの高速の現用チャネルに対して他方のリングに低速の複数の予備チャネルを予備チャネル群として割り当てる際に、現用チャネルの容量と予備チャネル群の容量が等しく、現用チャネル波長および現用チャネル波長と異なる波長に対して、現用チャネルの中心波長から予備チャネルの中心波長をずらし、かつ現用チャネルの波長間隔より小さい波長間隔で前記予備チャネル群を割り当てるように波長予約する。【選択図】        図２
2006345069.tif 000002
【特許請求の範囲】
【請求項１】
複数の光伝送装置を時計回りリング（ＣＷ）および反時計回りリング（ＣＣＷ）を介して接続する光リングネットワークにおいて、
同一の光伝送装置間のＣＷ，ＣＣＷの双方向のリングで、一方のリングの高速の現用チャネルに対して他方のリングに低速の複数の予備チャネルを予備チャネル群として割り当てる際に、現用チャネルの容量と予備チャネル群の容量が等しく、現用チャネル波長および現用チャネル波長と異なる波長に対して、現用チャネルの中心波長から予備チャネルの中心波長をずらし、かつ現用チャネルの波長間隔より小さい波長間隔で前記予備チャネル群を割り当てるように波長予約する
ことを特徴とする予備チャネルの波長予約方法。
【請求項２】
請求項１に記載の予備チャネルの波長予約方法において、
前記一方のリングの高速の第１の現用チャネルの波長と、前記他方のリングの高速の第２の現用チャネルの波長を異なる波長に設定し、第１の現用チャネルおよび第２の現用チャネルに対する予備チャネル群を割り当てる際に、それぞれの現用チャネル波長と異なる波長の一部または全部を共通に割り当てるように予約する
ことを特徴とする予備チャネルの波長予約方法。
【請求項３】
複数の光伝送装置を時計回りリング（ＣＷ）および反時計回りリング（ＣＣＷ）を介して接続する光リングネットワークの光伝送装置において、
同一の光伝送装置間のＣＷ，ＣＣＷの双方向のリングで、一方のリングの高速の現用チャネルに対して他方のリングに低速の複数の予備チャネルを予備チャネル群として割り当てる際に、現用チャネルの容量と予備チャネル群の容量が等しく、現用チャネル波長および現用チャネル波長と異なる波長に対して、現用チャネルの中心波長から予備チャネルの中心波長をずらし、かつ現用チャネルの波長間隔より小さい波長間隔で前記予備チャネル群を割り当てるように波長予約する予備チャネル波長予約手段と、
前記現用チャネルに障害が発生したときに前記予備チャネル群への切り替えを行う手段と
を備えたことを特徴とする光伝送装置。
【請求項４】
請求項３に記載の光伝送装置において、
前記予備チャネル波長予約手段は、前記一方のリングの高速の第１の現用チャネルの波長と、前記他方のリングの高速の第２の現用チャネルの波長を異なる波長に設定し、第１の現用チャネルおよび第２の現用チャネルに対する予備チャネル群を割り当てる際に、それぞれの現用チャネル波長と異なる波長の一部または全部を共通に割り当てるように予約する機能を含む
ことを特徴とする光伝送装置。
【請求項５】
請求項３または請求項４に記載の光伝送装置において、
前記現用チャネルの波長間隔に収容される複数の予備チャネルは、前記現用チャネルの波長間隔ごとに光伝送装置の合分波器の各ポートで一括して合分波される構成である
ことを特徴とする光伝送装置。
【発明の詳細な説明】
【技術分野】
【０００１】
本発明は、伝送速度の異なる複数の光パスを収容する光リングネットワークにおける予備チャネルの波長予約方法および光伝送装置に関する。
【背景技術】
【０００２】
リング型ネットワークの切替方法は、大別して２通り存在する（非特許文献１）。第１は、パスの受信側において当該パスを単位として切り替えを行うＵＰＳＲ（Unidirectional Path Switched Ring)方式である。第２は、パスを多重したセクション単位で切替を行うＢＬＳＲ（Bidirectional Line Switched Ring) 方式である。光リングネットワークにおける切替方式は、上記のパスを光パス（ＯＣh ）に置き換えたＯＣh 占有切替と、セクションを光多重セクション（ＯＭＳ）に置き換えたＯＭＳ共有切替が一般的である（非特許文献２）。また、光多重セクション単位の占有切替（ＯＭＳ占有切替）や、光パス単位の共有切替（ＯＣh 共有切替）もある。このような従来の切り替えに使用する予備波長の特徴として、現用波長と予備波長の伝送速度が同一でなければならないという制約がある。
【非特許文献１】Fiber Network Service Survivability, Artech House, 1992
【非特許文献２】Optical Network, 2nd ed.,Morgan Kaufmann Publishers, 2001
【発明の開示】
【発明が解決しようとする課題】
【０００３】
ところで、ディジタル電話網では、交換機設備ビルの障害時に障害ビル配下の局からの通信を確保するため、隣接ビルへも回線を設定する２重帰属が一般的であった。光ネットワークにおいても、光ファイバ伝送路の切断に対処することばかりでなく、通信事業者ビルの災害や停電時にも通信を確保できることが必須になっている。そこで近年、１系統のシステムの中に冗長をもつことが可能な例えばリング型光ネットワークが普及している。このリング型ネットワークでは、用意された２ルートに対してそれぞれ予備の光パスをあらかじめ設定しておく占有切替方式が主流である。しかし、この占有切替方式では、ある２装置間の接続に使用する１波長を時計回り（ＣＷ）および反時計回り（ＣＣＷ）で占有してしまい、予備の有効利用性が低い。波長資源の有効利用の観点から、共有切替方式により予備波長を共有し、また最大限の予備波長共有ができることが望ましい。
【０００４】
一方、光パスは収容するサービスに応じて、保護グレードや伝送速度が異なるのが一般的である。したがって、光多重セクション単位ではなく光パス単位の切替が望ましい。また、伝送路上の様々な要因によって伝送速度に依存して伝送距離が異なるため、リング上のある２装置間を一方のリングでは十分な速度の１波長で接続可能でも、反対回りのルートでは再生中継を用いるか、または複数の低速の波長でカバーしなければならない状況も考えられる。
【０００５】
このような状況に対応する予備の光パスの従来の波長予約方法を図３に示す。ここでは、光伝送装置２と光伝送装置３とを接続する光パスを示す。標準的な波長間隔 100ＧHzにおいて、波長λ１：40Ｇbps の現用チャネルに対して、波長λ1,λ2,λ3,λ4 にそれぞれ10Ｇbps の予備チャネルを予約する場合に、従来は、10Ｇbps の予備チャネルの波長間隔も 100ＧHzになっており、必ずしも効率的な波長予約とは言えなかった。
【０００６】
本発明は、伝送速度の異なる複数の光パスを収容する光リングネットワークにおいて、切替単位を光パスとし、伝送速度の異なる光パス間の共有切替を実現する予備チャネルの波長予約方法および光伝送装置を提供することを目的とする。
【課題を解決するための手段】
【０００７】
本発明の予備チャネルの波長予約方法は、複数の光伝送装置を時計回りリング（ＣＷ）および反時計回りリング（ＣＣＷ）を介して接続する光リングネットワークにおいて、同一の光伝送装置間のＣＷ，ＣＣＷの双方向のリングで、一方のリングの高速の現用チャネルに対して他方のリングに低速の複数の予備チャネルを予備チャネル群として割り当てる際に、現用チャネルの容量と予備チャネル群の容量が等しく、現用チャネル波長および現用チャネル波長と異なる波長に対して、現用チャネルの中心波長から予備チャネルの中心波長をずらし、かつ現用チャネルの波長間隔より小さい波長間隔で前記予備チャネル群を割り当てるように波長予約する。
【０００８】
また、一方のリングの高速の第１の現用チャネルの波長と、他方のリングの高速の第２の現用チャネルの波長を異なる波長に設定し、第１の現用チャネルおよび第２の現用チャネルに対する予備チャネル群を割り当てる際に、それぞれの現用チャネル波長と異なる波長の一部または全部を共通に割り当てるように予約する。
【０００９】
本発明は、複数の光伝送装置を時計回りリング（ＣＷ）および反時計回りリング（ＣＣＷ）を介して接続する光リングネットワークの光伝送装置において、同一の光伝送装置間のＣＷ，ＣＣＷの双方向のリングで、一方のリングの高速の現用チャネルに対して他方のリングに低速の複数の予備チャネルを予備チャネル群として割り当てる際に、現用チャネルの容量と予備チャネル群の容量が等しく、現用チャネル波長および現用チャネル波長と異なる波長に対して、現用チャネルの中心波長から予備チャネルの中心波長をずらし、かつ現用チャネルの波長間隔より小さい波長間隔で前記予備チャネル群を割り当てるように波長予約する予備チャネル波長予約手段と、現用チャネルに障害が発生したときに複数の予備チャネルへの切り替えを行う手段とを備える。
【００１０】
また、予備チャネル波長予約手段は、一方のリングの高速の第１の現用チャネルの波長と、他方のリングの高速の第２の現用チャネルの波長を異なる波長に設定し、第１の現用チャネルおよび第２の現用チャネルに対する予備チャネル群を割り当てる際に、それぞれの現用チャネル波長と異なる波長の一部または全部を共通に割り当てるように予約する機能を含む。
【００１１】
また、現用チャネルの波長間隔に収容される複数の予備チャネルは、現用チャネルの波長間隔ごとに光伝送装置の合分波器の各ポートで一括して合分波される構成である。
【発明の効果】
【００１２】
本発明は、伝送速度の異なる複数の光パスを収容する光リングネットワークにおいて、伝送速度の異なる光パス間の共有切り替えを実現することができる。また、双方向で異なる波長を使用し、現用チャネル波長と異なる予備チャネル波長同士を組み合わせることにより、波長の共有効率を向上させることができる。
【発明を実施するための最良の形態】
【００１３】
（第１の実施形態）
図１は、本発明の第１の実施形態を示す。ここでは、標準的な波長間隔 100ＧHzにおいて、時計回りリング（ＣＷ）上の波長λ１の40Ｇbps 現用チャネルに対して、反時計回り（ＣＣＷ）上に用意する予備チャネル群として、10Ｇbps 予備チャネルの４波長を予約する光伝送装置の予備チャネルの波長予約方法について説明する。
【００１４】
10Ｇbps 予備チャネルの中心波長は、40Ｇbps 現用チャネルの中心周波数から25ＧHzずれて50ＧHz間隔で配置する。ここで、40Ｇbps 現用チャネルに代わり４波長の10Ｇbps 予備チャネルから予備チャネル群を形成するが、各予備チャネルは波長間隔 100ＧHzの波長λ1,λ2 にそれぞれ２チャネルずつ割り当てる。すなわち、λ１±25ＧHz，λ２±25ＧHzにそれぞれ予備チャネルを割り当て、予備チャネル群を形成する。これにより、10Ｇbps 予備チャネル群として、従来の４波長（λ1,λ2,λ3,λ4 ）の帯域を２波長（λ1,λ2 ）の帯域に圧縮し、周波数利用効率を２倍に改善することができる。また、10Ｇbps 予備チャネルは、波長間隔 100ＧHzの合分波器の２ポートでそれぞれ２チャネルずつまとめて合分波することができ、１つの40Ｇbps 現用チャネルに対して10ＧHz予備チャネルは２ポートの占有で済むことになる。
【００１５】
また、予備チャネル群を構成する各予備チャネルは同一速度でなくてもよく、本実施形態の場合には例えば10Ｇbps が２チャネル、20Ｇbps が１チャネルの合計３チャネルで予備チャネル群を構成しても同様である。
【００１６】
（第２の実施形態）
図２は、本発明の第２の実施形態を示す。時計回りリング（ＣＷ）上の波長λ1 の40Ｇbps 現用チャネルに対して、反時計回り（ＣＣＷ）上に用意する予備チャネルとして、第１の実施形態と同様に10Ｇbps 予備チャネルを波長λ1,λ2 にそれぞれ２チャネルずつ割り当て、合計４チャネルの予備チャネル群を形成するものとする。
【００１７】
本実施形態では、40Ｇbps 現用チャネルの波長として、光伝送装置２から光伝送装置３に接続する光パスに波長λ1 を割り当て、光伝送装置３から光伝送装置２に接続する光パスに波長λ3 を割り当てる。この反時計回りリング（ＣＣＷ）上の波長λ3 の40Ｇbps 現用チャネルに対して、時計回り（ＣＷ）上に用意する予備チャネルとして、10Ｇbps 予備チャネルの波長λ2,λ3 にそれぞれ２チャネルずつ割り当てる。このような現用チャネルおよび予備チャネルの波長割り当てでは、ＣＷとＣＣＷで共通の予備波長λ2 （１ポート）の帯域を予備チャネルの２チャネル分（10Ｇbps ×２）として予約することができ、波長の共有効率を向上させることができる。
【００１８】
また、予備チャネル群を構成する各予備チャネルは同一速度でなくてもよく、本実施形態の場合には、例えば波長λ２±25ＧHzに割り当てられる２チャネル（10Ｇbps ×２）の予備チャネルについて、ＣＷおよびＣＣＷともに１つの20Ｇbps 予備チャネルで構成してもよい。このとき、ＣＷとＣＣＷで同一速度である必要がある。
【００１９】
なお、図２において、例えば光伝送装置４から光伝送装置１に接続する光パスについても波長λ１を割り当てることができる。その予備チャネル群として、ＣＣＷの波長λ１，λ２を指定できることは、従来の共有切替リングと同様である。
【００２０】
以上説明した各実施形態の説明に用いた信号速度や波長は一例であり、その数値に限定されるものではない。
【図面の簡単な説明】
【００２１】
【図１】本発明の第１の実施形態を説明する図。
【図２】本発明の第２の実施形態を説明する図。
【図３】従来の波長予約方法を説明する図。
【符号の説明】
【００２２】
１，２，３，４  光伝送装置
ＣＷ    時計回りリング
ＣＣＷ  反時計回りリング
【図１】
2006345069.tif 000003
【図２】
2006345069.tif 000004
【図３】
2006345069.tif 000005